(57)【要約】  方法は、入力画像信号ＩＳを、表示された輝度情報に寄与し得る少なくとも２つの副画素群ＳＧ１，ＳＧ２を持つ表示画素ＤＰＩを有する表示デバイスＤＤの副画素ＳＰを駆動させる駆動信号ＤＳに変換する。変換は、入力画像信号ＩＳを受信するとともに所定の制約ＣＯ下で実行されるマルチプライマリ変換ＭＰＣを有する。所定の制約ＣＯは、２つの副画素群ＳＧ１，ＳＧ２に関連付けられた部分的な表示輝度ＤＬ１，ＤＬ２，ＤＬＤを、入力画像信号ＩＳの入力画素ＩＰの対応する部分的な入力輝度Ｌ１，Ｌ２，ＬＤに実質的に適合させることにより決定され（ＣＤ）、これにより、表示画素ＤＰＩに関連付けられた入力画素ＩＰにより規定された入力輝度パターンに対応する表示画素ＤＰＩにより規定された表示輝度パターンを取得する。
2010507126.tif 000002
【特許請求の範囲】
【請求項１】
入力画像信号を、表示された輝度情報に寄与し得る少なくとも２つの副画素群を持つ表示画素を有する表示デバイスの副画素を駆動させるための駆動信号に変換する方法であって、
前記入力画像信号を受信し、所定の制約下で実行されるマルチプライマリ変換手段、及び
前記少なくとも２つの副画素群に関連付けられた部分的な表示輝度を、前記入力画像信号の入力画素の対応する部分的な入力輝度に実質的に適合させることにより前記所定の制約を決定し、これにより、前記表示画素に関連付けられた前記入力画素により規定された入力輝度パターンに対応する前記表示画素により規定された表示輝度パターンを取得するステップを有する、方法。
【請求項２】
前記所定の制約を決定するステップは、
前記少なくとも２つの副画素群の第１の副画素群及び第２の副画素群を有する第１の表示エリアと、前記第１の副画素群を有するとともに前記第１の表示エリアの下位エリアである第２の表示エリアとを選択するステップ、
前記第１の表示エリアに関連付けられた入力画素についての第１の入力輝度を計算するステップ、
前記第２の表示エリアに関連付けられた入力画素についての第２の入力輝度を計算するステップ、及び
一方では、前記第１の入力輝度と前記第２の入力輝度との間、他方では、前記第１の表示エリアによりカバーされた前記副画素の輝度である前記第１の表示輝度と前記第２の表示エリアによりカバーされた前記副画素の輝度である前記第２の表示輝度との間の実質的に適合する比率又は差分を取得するように前記所定の制約を決定するステップを有する、請求項１に記載の方法。
【請求項３】
前記第１の表示エリアは、如何なる所望の色の再生も可能にするために全てのタイプの副画素をカバーする、請求項２に記載の方法。
【請求項４】
前記第１の入力輝度を計算するステップは、前記第１の表示エリアを少なくともカバーする第１のフィルタ核による第１のフィルタリング動作を使用し、前記第１のフィルタリングの第１のフィルタ係数が、前記第１のフィルタ核によりカバーされる前記副画素の面積に比例し、
前記第２の入力輝度を計算するステップは、前記第２の表示エリアをカバーする第２のフィルタ核による第２のフィルタリング動作を有し、前記第２のフィルタリングの第２のフィルタ係数が、前記第２のフィルタ核によりカバーされる前記副画素の面積に比例する、請求項２に記載の方法。
【請求項５】
前記第１の入力輝度及び前記第２の入力輝度を計算するステップは、前記第１の表示エリアと前記第２の表示エリアとの差分エリアをカバーするフィルタ核によるフィルタリング動作を使用し、前記フィルタリングのフィルタ係数が、前記差分エリアによりカバーされる副画素の面積に比例する、請求項２に記載の方法。
【請求項６】
前記所定の制約を決定するステップは、前記第１の入力輝度及び前記第２の入力輝度の前記比率又は差分にそれぞれ実質的に適合する、前記第１の表示輝度と前記第２の表示輝度との間の前記比率又は差分を規定する方程式をマルチプライマリ変換に追加する、請求項１に記載の方法。
【請求項７】
前記マルチプライマリ変換の出力信号を取得するために所定の行列を前記入力画像信号で乗算する行列乗算ステップを更に有し、
前記所定の行列は、前記表示デバイスの前記副画素パターン及び前記副画素に関連付けられたプライマリの座標により規定され、前記所定の制約を含む、請求項１に記載の方法。
【請求項８】
前記マルチプライマリ変換ステップの出力画像信号を取得するために、特定の色を持つ前記副画素のうちの特定の１つを含むとともに取り囲む副画素領域によりカバーされた副画素に関連付けられた部分的な入力輝度を決定するステップ、
分布された画像信号を取得するために、前記副画素の前記マルチプライマリ変換の前記出力画像信号を前記副画素領域の副画素に渡って分布させるステップ、及び
前記副画素に関する駆動信号を取得するために、前記副画素領域における全ての副画素に対する副画素毎の前記分布された画像信号を蓄積するステップを更に有し、
前記分布させるステップは、前記部分的な入力輝度の輝度分布に対応する前記副画素に渡る輝度分布を取得するために、前記副画素領域によりカバーされた前記副画素に関連付けられた前記部分的な入力輝度に応じて実行される、請求項１に記載の方法。
【請求項９】
前記副画素領域は、前記少なくとも２つの副画素群の第１の副画素群及び第２の副画素群を有する表示エリアである、請求項８に記載の方法。
【請求項１０】
前記部分的な入力輝度を決定するステップは、
前記副画素領域に対応する入力画素領域をカバーするフィルタ核によるフィルタリング動作を用いることにより、前記副画素のうちの特定の１つに関連付けられた特定の表示プライマリ毎の全体輝度を計算するステップ、及び
前記全体輝度を、前記副画素領域における前記副画素のうちの特定の１つの関連するエリアと、前記入力画像信号における前記副画素のうちの特定の１つの部分的な入力輝度とで乗算することにより、前記副画素領域によりカバーされるとともに特定の色を持つ前記副画素のそれぞれに関する輝度の寄与度を決定するステップを有し、
前記フィルタリングのフィルタ係数は、前記フィルタ核によりカバーされるとともに前記副画素のうちの特定の１つの特定の色に関連付けられる副画素の面積に比例する、請求項８に記載の方法。
【請求項１１】
入力画像信号を、表示された輝度情報に寄与し得る少なくとも２つの副画素群を持つ表示画素を有する表示デバイスの副画素を駆動させるための駆動信号に変換する変換ユニットであって、
前記入力画像信号を受信し、所定の制約下で実行されるマルチプライマリコンバータ、及び
前記少なくとも２つの副画素群に関連付けられた部分的な表示輝度を、前記入力画像信号の入力画素の対応する部分的な入力輝度に実質的に適合させることにより前記所定の制約を決定し、これにより、前記表示画素に関連付けられた前記入力画素により規定された入力輝度パターンに対応する前記表示画素により規定された表示輝度パターンを取得する制約決定ユニットを有する、変換ユニット。
【請求項１２】
請求項１に記載された方法をプロセッサに実行させ得るコードを有するコンピュータプログラムであって、
前記入力画像信号を受信し、所定の制約下で実行されるマルチプライマリ変換を実行し、
前記少なくとも２つの副画素群に関連付けられた部分的な表示輝度を、前記入力画像信号の入力画素の対応する部分的な入力輝度に実質的に適合させることにより前記所定の制約を決定し、これにより、前記表示画素に関連付けられた前記入力画素により規定された入力輝度パターンに対応する前記表示画素により規定された表示輝度パターンを取得する、コンピュータプログラム。
【発明の詳細な説明】
【技術分野】
【０００１】
本発明は、表示デバイスの副画素を駆動させるための駆動信号への入力画像信号の変換と、入力画像信号を、表示デバイスの副画素を駆動させるための駆動信号に変換する変換ユニットと、関連するコンピュータプログラムとに関する。
【０００２】
本発明は、例えば、ＬＣＤディスプレイ等の大きなマトリックスディスプレイ、並びに、携帯電話機、携帯端末、パーソナルメディアプレイヤ、デジタルスチルカメラ及びビデオカメラに用いられるモバイルディスプレイにおいて有用である。
【背景技術】
【０００３】
小さなＲＧＢディスプレイの画素分解能の増加は、開口数及びその結果として輝度の深刻な損失をもたらす。副画素のレンダリングを一緒に伴うディスプレイの画素のマルチプライマリ副画素レイアウトの実行は、より大きい副画素の使用及びカラーフィルタを通過する増加した透過、並びにそれ故に知覚される分解能上への非常に大きな影響を伴うことなく増加した輝度を可能にする。マルチプライマリディスプレイ及び副画素のレンダリングのアプリケーションを用いることによる画素分解能の削減は、より少ないドライバを使用することを可能にする。
【０００４】
フルカラー再生に関して、マルチプライマリディスプレイは、多くの場合赤Ｒ、緑Ｇ及び青Ｂである３つの標準プライマリより多いプライマリを備えるディスプレイである。マルチプライマリディスプレイの一例は、画素がＲ、Ｇ、Ｂ及び白Ｗの副画素を有するＲＧＢＷディスプレイである。斯様なＲＧＢＷディスプレイにおいては、画素を通過する光の透過が大きく増大され、Ｗの副画素がカラーフィルタを必要としないためである。しかしながら、このＷの副画素が高輝度の純色（saturated color）のために活性化されないので、全色域が削減される。第２の利点は、副画素のレンダリングを介しての増加した分解能である。
【０００５】
ＲＧＢＷディスプレイの既知の副画素構成の一部の例は、４画素構成、ペンタイル（pentile）構成及び縦縞構成である。他の既存マルチプライマリディスプレイの例は、副画素の１つが黄色ＹであるＲＧＢＹディスプレイ、又は、画素が追加のシアンＣ及び黄色Ｙの副画素を有するＲＧＢＣＹディスプレイである。
【０００６】
副画素のレンダリングが分解能を増加させる基本的な理由は、各副画素が全体画素よりも高分解能で輝度情報を透過し得ることにある。特定の副画素構成に関する副画素のレンダリングの有効性は、どれぐらいの輝点が各画素に割り当てられ得るか、及び、これらの輝点（luminance point）がどれぐらいの強さであるかによって強く影響される。強さとは、最大輝度に到達可能であること及びより類似の色を持つことを意味する。ＲＧＢＷディスプレイにおいては、２つの輝点Ｗ及びＲＧＢが非常に強く、Ｗの副画素を有する副画素の第１の群とＲ、Ｇ及びＢの副画素を有する副画素の第２の群との双方が、高輝度で同一の白色光を生成することができる。更に、Ｗの副画素の輝度は、非常に高くなり得る。
【０００７】
副画素のレンダリングに関する現状の映像回路は、スケーリングユニット、プレフィルタ、マルチプライマリ変換及び副画素マッピングを有し得る。スケーリングユニットは、任意の分解能を持つＲＧＢ画像を受信し、ディスプレイの輝点分解能に合致する全体分解能でＲＧＢ画像を供給する。別の言い方をすると、全分解能のＲＧＢ画像において、ＲＧＢサンプルがディスプレイの各副画素に存在する。画像は、静止画像又はビデオであってもよく、合成及び／又は自然の情報を有してもよい。合成情報は、例えばテキスト及び／又はグラフのような、コンピュータで生成された情報であってもよい。自然情報は、例えば、写真又は映画であってもよい。好ましくは、入力画像は、ディスプレイの輝点により表わされ得るものに対応する画像詳細を持っている。プレフィルタは、可視のアーチファクトを持たない副画素のレンダリングにより表わされ得ない詳細（彩度）を除去するためにＲＧＢ全分解能画像をフィルタリングする。それ故、詳細は失われるが、色や輝度は維持される。マルチプライマリコンバータは、フィルタリングされたＲＧＢ信号を全分解能ＲＧＢＷ信号に変換する。又は、より一般的に、３つのプライマリ入力信号を、ディスプレイの画素当たりの３より多い副画素に関連付けられたマルチプライマリ信号に変換する。副画素マッパー（mapper）は、副画素の位置に関する副画素パターンにより決定されたプライマリに依存して全分解能ＲＧＢＷ信号から選択することにより副画素に関する駆動値を生成する。しかしながら、斯様な既存の副画素のレンダリングアルゴリズムは、テキストの可読性、並びに、精細な詳細及びデータグラフィック画像の表現が乏しいという欠点を持つ。
【発明の概要】
【発明が解決しようとする課題】
【０００８】
本発明の目的は、テキストの可読性、又は、精細な詳細若しくはデータグラフィック画像の表現を改善することにある。
【課題を解決するための手段】
【０００９】
本発明の第１の態様は、請求項１に記載されたような変換を提供する。本発明の第２の態様は、請求項１１に記載されたような変換ユニットを提供する。本発明の第３の態様は、請求項１２に記載されたようなコンピュータプログラムを提供する。有利な実施形態は、従属項に規定されている。
【００１０】
本発明の第１の態様による変換は、入力画像信号を、表示デバイスの副画素を駆動させるための出力信号に変換する。一般的に知られるように、マルチプライマリ変換は、Ｍ個の入力プライマリにより規定された入力信号を、Ｎ個（Ｎ＞Ｍ）の表示プライマリにより規定された出力信号に変換する。Ｍ及びＮの双方は、自然数である。多くの場合、Ｎ個の表示プライマリは、異なる着色光を伝達するＮ個の副画素に関連付けられる。副画素は、光を生成してもよく、又は、光を透過若しくは反射してもよい。表示デバイスは、表示された輝度情報に実質的に寄与し得る少なくとも２つの副画素群（sub-pixel group）を持つ表示画素を有する。ＲＧＢＷディスプレイの例において、２つの群は、ＲＧＢの副画素又はプライマリ、及び、Ｗの副画素又はプライマリであってもよい。代わりに、２つの群は、Ｇの副画素及びＷの副画素であってもよい。
【００１１】
マルチプライマリ変換は、少なくとも２つの副画素群に関連付けられた部分的な表示輝度が入力画素の対応する部分的な入力輝度に実質的に対応するという制約下で実行される。この結果は、表示画素により規定された表示輝度パターンが、対応する入力画素により規定された入力輝度パターンに実質的に適合することである。従って、オリジナル画像の輝度階調度は、できる限り、ディスプレイ上に再生される。"できる限り"とは、出力画像におけるこの階調度を正確に再生することが可能であるかに関わらず、入力画像における実際の階調度（輝度及びクロミナンス（chrominance））に依存することを示す。例えば、入力画像の入力画素の輝度及びクロミナンスに依存して、クリッピングが生じ得る。
【００１２】
従来の副画素のレンダリングにおいては、マルチプライマリ変換は、同等の輝度制約等の制約下で実行され得るが、従来の副画素のアルゴリズムのいずれも輝度階調度の制約を開示していないことに留意しなければならない。
【００１３】
一実施形態において、制約は、少なくとも２つの副画素群の第１の副画素群及び第２の副画素群を有する第１の表示エリアに関連付けられた入力画素に対して入力輝度を計算することにより決定される。第２の入力輝度は、第１の副画素群を有するとともに第１の表示エリアの下位エリアである第２の表示エリアに関連付けられた入力画素に対して計算される。制約は、一方では、第１の入力輝度と第２の入力輝度との間、他方では、第１の表示エリアによりカバーされた副画素の輝度である第１の表示輝度と第２の表示エリアによりカバーされた副画素の輝度である第２の表示輝度との間の実質的に適合する比率又は差分を取得するように決定される。
【００１４】
一実施形態において、第１の表示エリアは、如何なる所望の色の再生をも可能にするために全てのタイプの副画素をカバーする。それ故、例えば、ＲＧＢＷディスプレイにおいて、第１のエリアは、Ｒ、Ｇ、Ｂ及びＷの副画素をカバーする。第２の表示エリアは、如何なる所望の色ではなく如何なる所望の輝度の再生をも可能にする副画素をカバーする。例えば、ＲＧＢＷディスプレイにおいて、第２のエリアは、Ｗの副画素若しくはＲＧＢの副画素、又はＧの副画素をカバーする。第２の表示エリアは、第１の表示エリアの範囲内にあることに留意しなければならない。このアプローチにおいて、マルチプライマリディスプレイの異なる輝点は、入力画像の輝度階調度及び分解能を再生するために最適に用いられる。
【００１５】
一実施形態において、第１の入力輝度は、第１の表示エリアを少なくともカバーする第１のフィルタ核（filter kernel）による第１のフィルタリング動作を用いることにより計算される。第１のフィルタリング動作のフィルタ係数は、第１のフィルタ核によりカバーされる副画素の面積に比例する。第２の入力輝度は、第２の表示エリアをカバーする第２のフィルタ核よる第２のフィルタリング動作を用いることにより計算される。第２のフィルタリング動作のフィルタ係数は、第２のフィルタ核によりカバーされる副画素の面積に比例する。カバーされた副画素の面積に着目するこれらのフィルタの使用は、関連付けられた表示エリアに対する入力輝度の決定の正確さを改善する。従って、入力強度との表示強度の適合が改善されるだろう。代わりに、フィルタ核は、第１及び第２の表示エリアよりも大きいエリアをカバーし、これにより、互いに部分的にオーバーラップしてもよい。係数は、カバーされた副画素の面積に正確に比例する必要はない。
【００１６】
一実施形態において、第１の入力輝度及び第２の入力輝度の計算は、第２の表示エリアを差し引いた第１の表示エリアをカバーするフィルタ核によるフィルタリング動作を用いる。フィルタリングのフィルタ係数は、カバーされる副画素の面積に比例する。このアプローチは、単一のフィルタだけが必要とされるという利点を持つ。
【００１７】
一実施形態において、制約の決定は、第１の入力輝度と第２の入力輝度との比率又は差分のそれぞれが適合されるように、第１の表示輝度と第２の表示輝度との間の比率及び差分を規定する方程式をマルチプライマリ変換に追加する。マルチプライマリ変換への方程式の追加は、輝度階調度の制約下でマルチプライマリ変換を実行するための簡素な方法である。
【００１８】
一実施形態において、変換は、特定の色を持つ副画素のうちの特定の１つを含む及び取り囲む領域によりカバーされた副画素に関連付けられた部分的な入力輝度を決定する副画素分布を更に有する。例えば、ＲＧＢＷディスプレイにおいて、この領域は、Ｗの副画素及び一部の周囲のＲＧＢの副画素をカバーしてもよい。部分的な入力輝度は、Ｗの副画素の輝度及びＲＧＢの副画素のカバーされた部分の輝度である。マルチプライマリ変換の出力画像信号は、分布された画像信号を取得するための、前記領域の副画素に渡って分布された各副画素に関するものである。分布は、部分的な入力輝度の輝度分布に可能な限り適合する副画素に渡る輝度分布を取得するために、前記領域によりカバーされた副画素に関連付けられた部分的な入力輝度に応じて実行される。分布された画像信号は、前記領域における全ての副画素に関する副画素毎に蓄積される。それ故、部分的な入力輝度は、ディスプレイ上の輝度分布と入力画像の輝度分布との間の最適な対応を得るために、マルチプライマリ変換と、副画素に渡るマルチプライマリ変換の出力値の分布とを制御する。
【００１９】
一実施形態において、前記領域は、少なくとも２つの副画素群の第１の副画素群及び第２の副画素群を有する表示エリアである。それ故、副画素分布は、マルチプライマリ変換に関する制約を決定するために必要とするような同一の部分的な入力輝度を用いてもよい。
【００２０】
一実施形態において、部分的な入力輝度の決定は、前記領域をカバーするフィルタ核によるフィルタリング動作を用いることにより、前記領域の特定の色毎の全体輝度を計算することを有する。フィルタリングのフィルタ係数は、特定の色を持つ副画素に関するフィルタ核によりカバーされる副画素の面積に比例する。輝度の寄与度は、前記領域におけるこれらの副画素のうちの特定の１つの相対面積で、及び入力画像における副画素のうちのこの特定の１つの部分的な入力輝度で全体輝度を乗算することより、前記領域によりカバーされるとともに特定の色を持つ副画素のそれぞれに対して決定される。
【００２１】
本発明のこれら及び他の態様は、後述する実施形態から明らかになり、当該実施形態を参照して説明されるだろう。
【図面の簡単な説明】
【００２２】
【図１】Ｎ個のプライマリに対して規定された入力画像信号を表示デバイスのＭ個（Ｍ＞Ｎ）のプライマリに関する出力信号に変換するコンバータのブロック図を概略的に示している。
【図２】２Ａ及び２Ｂは、制約されたマルチプライマリコンバータに対する制約を規定するための、表示デバイス上で選択されたエリアと入力画像における対応するエリアとのそれぞれの一例を概略的に示している。
【図３】３Ａ〜３Ｄは、選択されたエリアの他の例を概略的に示している。
【図４】制約の決定及び制約されたマルチプライマリ変換の一実施形態のより詳細なブロック図を概略的に示している。
【図５】制約の決定の他の実施形態のより詳細なブロック図を概略的に示している。
【図６】副画素分布器のブロック図を概略的に示している。
【図７】７Ａ〜７Ｃは、ＲＧＢＷディスプレイの緑の副画素に関する出力値の分布の一例を概略的に示している。
【発明を実施するための形態】
【００２３】
異なる図面において同一の参照符号を持つ項目は、同一の構造上の特徴及び同一の機能を持つか、又は、同一の信号であることに留意すべきである。斯様な項目の機能及び／又は構造が説明された場合には、詳細な説明においてこれらの繰り返した説明の必要はない。
【００２４】
図１は、Ｎ個のプライマリに対して規定された入力画像信号を、Ｍ個（Ｍ＞Ｎ）の表示プライマリに関する出力信号に変換するコンバータのブロック図を概略的に示している。以下において、これは、単一の副画素ＳＰを各表示プライマリに関する画素ＰＩ毎に持つ表示デバイスＤＩに対して説明される。
【００２５】
コンバータは、各入力画素がＮ個の入力プライマリの分布を規定するＮ個の値により規定される入力画像信号ＩＳを受信する。多くの場合、入力信号は、３つのプライマリＲ（赤）、Ｇ（緑）及びＢ（青）に対して規定されたＲＧＢ信号である。例えばＹＵＶのような入力信号の如何なる他の表現もＲＧＢ信号に変換され得る。多くの場合、これらのＲＧＢプライマリは、ＥＢＵプライマリである。しかしながら、他のプライマリの他の数Ｎに対して規定された如何なる他の信号も処理され得る。
【００２６】
コンバータは、表示デバイスＤＤの表示画素ＤＰＩのＭ個の副画素ＳＰを駆動させるために、Ｍ個の駆動信号ＤＳを表示デバイスＤＤに供給する。図１に示される例において、表示デバイスＤＤは、ＲＧＢＷディスプレイであり、表示画素ＤＰＩは、分布された光（Ｒ、Ｇ、Ｂ及びＷ（白））の色により示されたＭ＝４個の副画素ＳＰを有する。副画素ＳＰの色も、表示プライマリと称される。ディスプレイは、表示画素ＤＰＩの輝度に実質的に寄与し得る副画素ＳＰの１以上の群を持つ。示された例においては、一の群ＳＧ１がＷの副画素を含み、その一方で、他の群ＳＧ２がＧの副画素又はＲＧＢの副画素を含む。
【００２７】
コンバータは、Ｎ個の入力プライマリに対して規定された入力画像信号ＩＳを、表示プライマリに対して規定された出力信号ＯＳに変換するマルチプライマリコンバータＭＰＣを有する。副画素分布器ＳＰＤは、処理される出力信号画素を取り囲む空間における副画素ＳＰに出力信号ＯＳを分布させる（又は割り当てる）。例えば、ＲＧＢＷディスプレイに関して、３つの入力プライマリＲＧＢに関する３つの値により規定される入力画素は、４つの副画素ＳＰに関する４つの駆動値ＤＳに変換される。マルチコンバータＭＰＣは、制約規定ユニットＣＤにより生成される制約ＣＯを受信する。制約規定ユニットＣＤは、ディスプレイＤＤ上の副画素を変換するエリアを規定するエリア情報Ａ１、Ａ２又はＡＤ（図２参照）を用いる。制約規定ユニットＣＤは、副画素ＳＰにより生成されるようなエリアの輝度が入力画像ＩＳにおける対応するエリアの入力画素の輝度と可能な限り対応するような制約ＣＯを生成するためにこれらの領域を用いる。制約規定ユニットＣＤの動作は、図２に関してより詳細に説明されるだろう。
【００２８】
副画素分布ＳＰＤも、マルチプライマリコンバータＭＰＣの出力画像信号ＯＳの割り当てを駆動値ＤＳ及びそれ故に副画素ＳＰを制御するために、入力画素の入力輝度分布を用い得る。この制御された副画素分布ＳＰＤは、図６及び７に関連して説明される。
【００２９】
図２Ａ及び２Ｂは、制約されたマルチプライマリコンバータに関する制約を規定するために要求された、表示デバイス上で選択されたエリアと入力画像における対応するエリアとのそれぞれの例を概略的に示している。
【００３０】
図２Ａは、示された例においてはＲＧＢＷディスプレイである表示デバイスＤＤの副画素グリッドＳＰＧの一例を示している。同一のモノクロ階調で示された副画素ＳＰは、同一の色に対応している。エリアＡ１は、大きな円で境界付けられ、この大きな円の内側の副画素（又はこれらの部分）をカバーする。エリアＡ２は、小さな円で境界付けられ、この小さな円の内側の副画素（又はこれらの部分）をカバーする。
【００３１】
エリア又は領域Ａ２は、如何なる所望の輝度をも取得するために十分な副画素ＳＰをカバーするように選択される。示された例においては、エリアＡ２は、ＲＧＢの副画素の少なくとも一部をカバーする。Ｗの副画素が中心画素として選択される場合には、エリアＡ２は、Ｗの副画素（の一部）をカバーするように選択され得る。好ましくは、エリアＡ２は、表示画素ＤＰＩの単一の輝点に強く関連するように選択される。ＲＧＢＷディスプレイにおいて、２つの輝点が存在し、これは、高輝度情報、即ち、Ｗの副画素及び副画素のＲＧＢ群を伝達する。代わりに、Ｇの副画素が、単独で高い輝点であると見なされてもよいが、この輝点は、他の高い輝点の白色とは異なる緑色を持つ。強く関連した一実施形態においては、エリアＡ２が単一の高い輝点を可能な限りカバーし、他の輝点を僅かにカバーすることを意味する。エリアＡ１は、如何なる所望の色をも取得するために、副画素ＳＰ（又は少なくともこれらの部分）の全てのタイプをカバーするように選択される。それ故、エリアＡ１は、２つの高い輝点がカバーされるように十分な副画素（又はこれらの部分）をカバーする。好ましくは、エリアＡ１は、２つの輝点の単一の組み合わせをカバーするために必要とされる副画素までをカバーする。エリアＡ１の範囲内の２つの輝点のうちの１つは、エリアＡ２の範囲内でもある。別の言い方をすると、エリアＡ２は、エリアＡ１の範囲内にある。示された例においては、エリアＡ１及びＡ２が円形の外周を持つが、２つのエリアＡ１、Ａ２の如何なる他の適切な形状も選択され得る。
【００３２】
図２Ｂは、入力画像信号ＩＳの入力画素の入力画素グリッドＩＰＧを示している。エリアＡ２は、出力副画素グリッドＳＰＧにおけるエリアＡ２によりカバーされた副画素群に対応する入力画素上に中心合わせされた入力画素グリッドＩＰＧにおけるものである。エリアＡ１は、出力副画素グリッドＳＰＧのように、入力画素グリッドＩＰＧにおいて、エリアＡ２に対する同一の関連性を持つ。輝度Ｌ１は、エリアＡ１の範囲内の入力画素（又はこれらのカバーされた部分）の輝度であり、輝度Ｌ２は、エリアＡ２における入力画素（又はこれらのカバーされた部分）の輝度である。
【００３３】
エリアＡ１及びＡ２は、出力副画素グリッドＳＰＧにおけるエリアＡ１及びＡ２の副画素ＳＰの輝度ＤＬ１，ＤＬ２が、それぞれ、入力画素グリッドＩＰＧにおけるエリアＡ１及びＡ２の輝度Ｌ１及びＬ２に可能な限り対応するように、マルチプライマリ変換ＭＰＣを制御することができるように選択される。代わりに、２つの輝度Ｌ１及びＬ２に適合することに代えて、大きな円と小さな円との間の出力副画素グリッドＳＰＧにおけるエリアであるエリアＡ２−Ａ１の出力副画素グリッドＳＰＧにおける輝度ＤＬＤが、入力画素グリッドＩＰＧにおける対応するエリアＡＤの輝度ＬＤに適合され得る。エリアＡ１及びＡ２は、出力副画素グリッドＳＰＧと入力画素グリッドＩＰＧとの双方において同一の次元を持つことが示されており、これは、入力画素グリッドＩＰＧが出力副画素グリッドＳＰＧに適合するようにスケールされるためである。
【００３４】
一実施形態において、大きなエリアＡ１は、エリアＡ２に関連した輝点以上の他の輝点を生成するために要求された隣接副画素をカバーする異なるエリアＡＤ又はＡ１−Ａ２を取得するために、小さなエリアＡ２に対して選択される。しかしながら、副画素パターンに依存して、エリアＡ１は、エリアＡ２によりカバーされた輝点に寄与する副画素又は副画素の部分を更に有してもよい。実際には、エリアＡ１及びＡ２の間のエリアの差分は、副画素により生成された輝度分布が、関連付けられた入力画素の輝度分布に対応するエリアを規定する。小さな差分エリアでは、平均化があまり発生せず、高頻度の空間輝度分布（又は高輝度階調度）が、非常に局所的にだけではあるが再現され得る。この非常に局所的なアプローチは、出力副画素グリッドＳＰＧ上の表示された画像の隣接エリアに対する不連続アーチファクトを生じさせ得る。比較的大きな差分エリアでは、不連続アーチファクトは、低下するだろうが、輝度の平均化により輝度分解能が失われるだろう。
【００３５】
図３Ａ〜３Ｄは、選択されたエリアの他の例を概略的に示している。
【００３６】
図３Ａに示された例は、緑及び白並びに緑の輝点のそれぞれに関するＲＧＢＷディスプレイのディスプレイスクリーンの副画素グリッドＳＰＧにおけるエリア又は下位エリアＡ１及びＡ２を示している。これは、効果的には、白及び緑に関する輝点の最も近傍である。下位領域Ａ１及びＡ２の形状は、例えば、輝点のボロノイ図を形成することから取得され得る。図３Ａに示された例においては、下位領域又はエリアＡ１は、副画素Ｇ１、Ｇ２、Ｇ３及びＧ４の中心点を接続する矩形により境界付けられ、下位領域又はエリアＡ２は、赤の副画素Ｒ１及びＲ２並びに青の副画素Ｂ１及びＢ２の中心点を接続する矩形により境界付けられる。白の副画素は、Ｗ１で示される。
【００３７】
図３Ｂは、入力画素グリッドＩＰＧにおける関連した入力画素輝度ＹＧ１、ＹＲ１、ＹＧ２、ＹＢ１、ＹＷ１、ＹＢ２、ＹＧ３、ＹＲ２及びＹＧ４を示している。選択された下位領域Ａ１及びＡ２に基づいて、白色輝度ＹＷ及び緑色輝度ＹＧを両方決定することに関する寄与度が図３Ｃ及び３Ｄにそれぞれ示されている。これらの寄与行列の合計は、全体領域の寄与行列を形成することに留意しなければならない。これらの寄与行列は、輝度画像をサンプリングするために用いられ、以下のような、緑及び白の輝点のセットに関する所望の輝度をもたらす。
【数１】
2010507126.tif 000003
【数２】
2010507126.tif 000004
これらの寄与行列及びこれらが用いられる手法は、実際には、輝度入力画像上で動作するフィルタ核であることに留意しなければならない。示されるように、フィルタ核は、中心の副画素に依存する。核は、より広い領域を考慮に入れてもよく、又は、鮮鋭化を追加してもよい。中心の副画素が白の副画素Ｗ１であるときの差分信号は、以下の式により規定される。
【数３】
2010507126.tif 000005
【００３８】
この差分信号は、１の自由度を効果的に除去するために、マルチプライマリ変換における制約として用いられる。
【００３９】
マルチプライマリ変換は、以下の一般的な行列方程式に従い、ＸＹＺ色座標システムにおいて規定されたときの色Ｃ＝（Ｃｘ，Ｃｙ，Ｃｚ）が、駆動値（ＲＧＢＷ）のリニアの組み合わせにより決定される。
【数４】
2010507126.tif 000006
【００４０】
実用的な実装において、標準化されたＲＧＢＷ駆動値は、０．０（完全にオフ）と１．０（完全にオン）との間にあるように強いられる。例えば、アナログ実装において、これらの境界値は、多くの場合、用いられた電源電圧に関連し、デジタル実装において、この範囲は、ビットの選択された数により表現可能なデジタル言語の正規化された範囲である。中央の行列において、列（例えば、ＲｘＲｙＲｚ）は個々のプライマリのカラーポイントを表す。行ＲｙＧｙＢｙＷｙは、各表示プライマリの輝度を表す。この方程式は、劣決定（under-determine）され、同一のターゲット色Ｃを形成する駆動値ＲＧＢＷに関する多くの解決策を可能にすることに留意すべきである。解決策における自由度は、緑又は白に向かって輝度を制御するために用いられる。実際には、最適な輝度バランスを取得することが試行される。これは、以下の行列方程式に対して、ＹＷ及びＹＧに関する上記方程式から直接得られる２つの追加の"制約"行を追加することにより達成される。
【数５】
2010507126.tif 000007
【００４１】
これらの制約行は、個々の輝点の下位領域ＹＷ，ＹＧの所望の輝度が達成されるように、駆動値ＲＧＢＷを効果的に強いる。より詳しい検査は、制約行４及び５が行２を合計することを明らかにする。上記行列は、それ故に、以下のように行列が行４から行５を差し引くこと（又はその逆）により単純化され得ることを意味するランク４である。
【数６】
2010507126.tif 000008
【００４２】
これは、輝度差分信号ΔＹの使用を明らかにする。中央の行列は、全てのランクの静的なもの（係数が変化しない）であり、それ故、その逆が、システムにおいて計算されて格納され得る。逆行列は、以下により規定される。
【数７】
2010507126.tif 000009
【００４３】
逆行列は、以下のように、駆動レベルＲ０，Ｇ０，Ｂ０，Ｗ０の最適な組み合わせを計算するために用いられる。
【数８】
2010507126.tif 000010
同様に、行列ＲＧＢは、以下により付与されて規定され得る。
【数９】
2010507126.tif 000011
【００４４】
これは、ＸＹＺ行列として同様の役割を果たすが、ＲＧＢにおいて直接規定された入力色Ｃ＝（ＣＲＣＧＣＢ）に関する。そして、最適な駆動レベルに対する計算は、以下のようになる。
【数１０】
2010507126.tif 000012
【００４５】
駆動値の最適な組み合わせは、これらが０．０と１．０との間の有効範囲になければならないので、実際のディスプレイ上で常には実現され得ない。多くの場合、有効範囲外の値は、ハード又はソフト的にクリップされる。駆動値の最適な選択に関する制約下で適切なマルチプライマリ変換を実行する回路の一例が、ＷＯ２００６／１０６４５７（ＩＤ６９２８３３）において説明されている。図４に示されたブロック図は、この回路に基づいている。
【００４６】
図４は、制約の決定及び制約されたマルチプライマリ変換の一実施形態のより詳細なブロック図を概略的に示している。
【００４７】
表示エリアセレクタＤＡＳは、表示デバイスＤＤの副画素グリッドＳＰＧ上において、輝度制約ＬＣが適用されるべきエリアＡ１−Ａ２又はエリアＡ１，Ａ２を選択する。選択は、実際の副画素パターンＳＰＰに依存し得る。表示エリアセレクタＤＡＳは、エリア選択が実際のディスプレイに合わせられるように、副画素パターンＳＰＰに関する入力を実際に受信し得る。代わりに、副画素パターンＳＰＰが良く知られている場合には、選択されたエリアＡ１，Ａ２が予め格納されてもよい。輝度制約ＬＣは、輝度に対する寄与度を持つ異なる着色副画素を有する異なる副画素群に関連しなければならない。例えば、ＲＧＢＷディスプレイにおいて、副画素は、赤、緑、青及び白のプライマリを形成する。第１の群が白の副画素を有し、第２の群が緑の副画素、又は、緑、赤及び青の副画素を有してもよい。選択された副画素群は、単一の副画素だけを有してもよいことに留意しなければならない。
【００４８】
入力輝度決定ユニットＩＬＤは、副画素グリッドＳＰＧにおいて選択されたエリアＡ１−Ａ２（図５参照）又はエリアＡ１及びＡ２にそれぞれ対応する入力画素ＩＰ（又はこれらの部分）に関する入力画素グリッドＩＰＧにおける入力画素ＩＰの入力輝度ＤＬ（図５参照）又はＬ１及びＬ２を決定する。この入力輝度ＤＬ又はこれらの入力輝度Ｌ１及びＬ２は、対応する表示輝度又はエリアＡ１−Ａ２若しくはエリアＡ１及びＡ２の輝度が入力輝度ＤＬ又はＬ１及びＬ２にそれぞれ適合するという制約ＣＯ下で変換を実行するために、マルチプライマリ変換ＭＰＣにおいて用いられる。
【００４９】
輝度Ｌ１及びＬ２を決定するために、入力輝度決定ユニットＩＬＤは、フィルタ核としてのエリアＡ１及びＡ２のそれぞれとエリアＡ１及びＡ２のそれぞれによりカバーされた副画素の部分の関連するエリアに依存する係数ＦＣとを用いて、入力画像信号ＩＳの入力画素をフィルタリングする２つのフィルタＦＩ１及びＦＩ２を有し得る。差分輝度及び差分エリアが用いられる場合には、単一のフィルタＦＩ（図５参照）で十分である。それ故、表示エリアセレクタＤＡＳは、核セレクタとも称され得るとともに、入力輝度決定ユニットＩＬＤは、フィルタと称され得る。
【００５０】
４つのマルチプライマリ変換ＭＰＣに対する３つが単一の自由度を持つので、１つの制約ＣＯが適用され得る。単一の制約ＣＯは、２つのエリアの２つの入力輝度Ｌ１及びＬ２の間の比率若しくは差分として、又は、２つのエリアＡ１及びＡ２の差分エリアＡ１−Ａ２の単一の輝度ＤＬとして規定され得る。第２のエリアＡ２は、第１の副画素群ＳＧ１をカバーするように選択され得るとともに、第１のエリアＡ１は、第１の副画素群ＳＧ１と第２の副画素群ＳＧ２との双方をカバーするように選択され得る。例えば、ＲＧＢＷディスプレイにおいて、第１の副画素群ＳＧ１は、白の副画素Ｗを有してもよく、第２のエリアＡ２は、白の副画素Ｗ及びそのすぐ隣の周囲を有する。このすぐ隣の周囲は、周囲のＲＧＢ副画素の全て又は一部を有し得る。周囲の副画素の一部がカバーされる場合には、入力画像において規定された第２の輝度Ｌ２に対する寄与度は、フィルタ係数ＦＣにより規定され得るようにこの部分に比例する。
【００５１】
第１のエリアＡ１は、第２のエリアＡ２及びそのすぐ隣の周囲の副画素を有する。この場合もやはり、すぐ隣の周囲の画素が部分的にのみカバーされる場合には、入力画像において規定された第１の輝度Ｌ１に対する寄与度は、この部分に比例する。好ましくは、中心エリアと呼ばれ得る第２のエリアＡ２は、如何なる所望の輝度をも作るために十分な副画素をカバーするように選択され、全体エリアと呼ばれ得る第１のエリアは、如何なる所望の色をも作るために全てのタイプの副画素をカバーするように選択される。別の言い方をすると、第２のエリアＡ２は、実質的には単一の輝点をカバーし、その一方で、第１のエリアＡ１は、この単一の輝点と他の輝点（又は他の輝点の一部）とをカバーする。２つのエリアＡ１及びＡ２のそれぞれに対応する入力画像における輝度Ｌ１及びＬ２が決定され、マルチプライマリ変換ＭＰＣは、２つのエリアＡ１及びＡ２におけるディスプレイ上の輝度ＤＬ１及びＤＬ２が２つのエリアＡ１及びＡ２における入力画像の輝度Ｌ１及びＬ２に適合するように制御される。勿論、これらの２つの輝度Ｌ１及びＬ２のマッチングに代えて、差分エリアＡ１−Ａ２の輝度ＤＬが適合されてもよい。
【００５２】
４つ以上のプライマリのマルチプライマリ変換ＭＰＣに対する３つに関して、より多くの制約ＣＯが、決定的な解決策を得るために追加されてもよいことに留意しなければならない。例えば、５つのプライマリを伴うディスプレイにおいては、表示画素毎の３つの輝点が規定され得るとともに、２つの制約ＣＯが、３から５へのマルチプライマリ変換ＭＰＣの２つの自由度をキャンセルするように規定され得る。代わりに、自由度のサブセットだけが、輝度制約ＣＯのサブセットだけを用いることによりキャンセルされてもよい。残りの自由度は、放置され得るか、又は、他の制約に用いられ得る。
【００５３】
マルチプライマリ変換ＭＰＣは、表示プライマリの座標ＰＣＯ、及び、（前に明らかにされたように）２つの追加の方程式又は１つの追加の方程式のような制約ＣＯをそれぞれ制御するためのディスプレイ（ＤＩ）の副画素パターン（ＳＰＰ）を用いることにより、前述のように行列Ｍｘｙｚ又はＭｒｇｂを計算する行列計算ユニットＭＣを有する。行列乗算ユニットＭＭは、既に説明された以下の方程式に応じてＷの副画素に対する最適な駆動値を計算するために、この行列Ｍｘｙｚ又はＭｒｇｂを画素入力値ＣＲ、ＣＧ、ＣＢ及び差分輝度で乗算する（この行列Ｍｘｙｚ又はＭｒｇｂの内積を決定する）。
【数１１】
2010507126.tif 000013
【００５４】
この方程式で示されたように、赤、緑、青の副画素に対する最適な値Ｒ０、Ｇ０、Ｂ０が直接計算され得る。しかしながら、図４は、多くの場合に境界値を含む範囲０〜１に標準化される有効範囲に対して駆動値をクリッピングすることに更に注意するより効果的なアプローチを示している。図４においては、クリップされた最適な値は、Ｗ、Ｒ、Ｇ、Ｂの副画素のそれぞれに対してＷＯＳ、ＲＯＳ、ＧＯＳ及びＢＯＳと呼ばれる。
【００５５】
ミニマックス（min/max）回路ＭＩＭＡは、Ｗの駆動信号の有効値に対する最大及び最小の境界を決定する。ミニマックス回路ＭＩＭＡは、Ｗ０の任意の正規化された負の値を、ゼロ及び任意の正規化された１から１以上の正の値にクリップするためにクリッピング回路ＣＬ１を制御する。更に、Ｗ０の有効値は、Ｒ０、Ｇ０、Ｂ０の値の実際の値に依存する。Ｒ０、Ｇ０、Ｂ０の値のうちの少なくとも１つが１よりも大きい場合には、Ｗ０の最大値は、Ｒ０、Ｇ０、Ｂ０の値の最小値よりも高くなり得ず、Ｗ０の最小値は、ゼロよりも大きくなり得る。Ｗ０のクリップされた値は、Ｗの副画素に対する出力値ＷＯＳである。減算回路ＳＵ１、ＳＵ２及びＳＵ３は、クリップされた値ＷＯＳを入力値ＣＲ、ＣＧ及びＣＢのそれぞれから減じる。結果的に生じた差分信号は、もし要求される場合には、コンポーネントがＲ、Ｇ及びＢの副画素のそれぞれに関する出力信号ＲＯＳ、ＧＯＳ及びＢＯＳであるマルチプライマリ変換の出力信号ＯＳを供給するために、クリッピング回路ＳＬ２においてクリップされる。
【００５６】
同一の体系は、如何なる他のマルチプライマリシステムに対しても有効であるが、マルチプライマリコンバータは、より複雑になり、一例がＷＯ２００６／１０６４５７において説明されている。
【００５７】
図５は、制約の決定の他の実施形態のより詳細なブロック図を示している。この実施形態においては、単一のフィルタＦＩが差分輝度ＤＬを決定するために用いられる。表示エリアセレクタＤＡＳは、表示デバイスＤＤの副画素グリッドＳＰＧ上において、差分エリアＤＡ＝Ａ１−Ａ２を選択する。入力輝度決定ユニットＩＬＤは、入力画素グリッドＩＰＧにおける差分エリアＤＡの範囲内の入力画素又は入力画素部分に関する入力輝度信号ＩＳの入力画素の寄与度の輝度ＤＬを決定する。行列計算ユニットＭＣは、マルチプライマリ変換ＭＰＣの行列に対する制約ＣＯとして、差分輝度ΔＹに関する方程式を有する。
【００５８】
図６は、副画素分布器のブロック図を概略的に示している。
【００５９】
概して、本発明によれば、副画素分布器は、マルチプライマリ変換ＭＰＣの出力値ＲＯＳ、ＧＯＳ、ＢＯＳ、ＷＯＳを、特定の色を持つ中心副画素を取り囲む及び含む副画素領域ＳＰＲに渡って分布させる。中心副画素の色に依存して、斯様な副画素領域ＳＰＲが、例えば、図３Ａに示されるようなエリアＡ１又はＡ２となるように選択され得る。中心副画素は、出力値が分布される特定の副画素である。分布は、全ての方向において均一ではないが、特定の副画素に対応する入力画像領域ＩＰＲにおける入力画像ＩＳの輝度階調度に依存する。入力画像における入力画素の斯様な領域は、図３Ｂに示されるようなエリアＡ１又はＡ２であってもよい。それ故、副画素領域ＳＰＲに対応する入力画像ＩＰＲにおける領域の輝度は、副画素領域ＳＰＲにおける副画素のうちのそれぞれの出力値ＲＯＳ、ＧＯＳ、ＢＯＳ、ＷＯＳをそれぞれに分布させるためのガイドとして用いられる。
【００６０】
概して、分布は、副画素ＳＰのうちの１つが（相対的に）低い関連性の輝度を持つ場合には、これに対して高い駆動値を分布させる意味がないというルールを用いる。別の言い方をすると、特定の副画素ＳＰの輝点に対応する特定の位置での入力画素グリッドＩＰＧの入力画像領域ＩＰＲにおける入力画素輝度が低い値を持つ場合には、低い駆動値が、この特定の副画素ＳＰに分布されるべきである。副画素分布器は、各副画素ＳＰに関する出力値ＲＯＳ、ＧＯＳ、ＢＯＳ、ＷＯＳのセットをマルチプライマリコンバータＭＰＣから受信する。他の情報は、領域における副画素ＳＰがどのプライマリカラーに属しているかを示す前述された副画素領域ＳＰＲの副画素パターンＳＰＰについて、及び、問題となっている副画素ＳＰを取り囲む入力画像領域ＩＰＲにおける所望の輝度値について要求される。
【００６１】
先ず、図６に示された回路が簡単に述べられる。図６に示された回路の動作は、Ｇの副画素に対するＧＯＳ出力値の分布の一例の図７に関してより詳細に説明される。
【００６２】
分布器ＤＩＳは、駆動信号ＤＳを取得するために、マルチプライマリコンバータＭＰＣにより供給されたＲＧＢＷ出力値ＲＯＳ、ＧＯＳ、ＢＯＳ、ＷＯＳを、蓄積回路ＡＣＣにより蓄積される分布信号ＤＩに分布させる。駆動信号ＤＳは、ＲＧＢＷの副画素ＳＰのそれぞれに対するコンポーネントＲＤＳ、ＧＤＳ、ＢＤＳ及びＷＤＳを持つ。ＲＧＢＷ出力値ＲＯＳ、ＧＯＳ、ＢＯＳ、ＷＯＳのそれぞれは、特定色の出力値が選択副画素領域ＳＰＲの範囲内の特定のプライマリカラーの副画素ＳＰに関する駆動信号ＤＳに渡って分布されるように、分布係数ＤＣＯに応じて別々に分布される。蓄積回路ＡＣＣは、全体画像に渡る計算されたＲＧＢＷ領域ＳＰＲを蓄積する。特定の副画素ＳＰに対する各出力値は、副画素領域ＳＰＲにおける周囲の副画素ＳＰに部分的に分布される。これは、各副画素ＳＰがその近傍から自己の駆動値に対する寄与度を受信することを意味する。これらの寄与度は、蓄積器ＡＣＣによって合計され、必要に応じて、この副画素ＳＰに関する駆動信号ＤＳを取得するための有効範囲にクリップされる（図示省略）。
【００６３】
全体輝度計算回路ＣＴＬは、図３Ｂの入力画素領域ＩＰＲにおける輝度分布を用いることにより、プライマリＲ、Ｇ、Ｂ、Ｗのそれぞれに対する全体輝度ＹＲＴ、ＹＧＴ、ＹＢＴ、ＹＷＴをそれぞれ計算する。全体輝度計算回路ＣＴＬは、領域ＳＰＲにおける副画素パターンＳＰＰを供給する副画素領域ＳＰＲから、ディスプレイＤＤの異なる着色副画素ＳＰの位置を検索する。副画素パターンＳＰＰは、図３Ａに示された副画素パターンと同じであってもよい。図３に関して、入力画素領域ＩＰＲ及び副画素領域ＳＰＲは、１対１の関係を持つ。
【００６４】
乗算係数決定器ＭＣＤは、特定の色を持つ副画素ＳＰの全体輝度と比較して、特定の色を持つ各副画素に関する乗算係数ＭＣＯを、問題となっている副画素ＳＰの輝度の寄与度として決定する。問題となっている副画素ＳＰの輝度の寄与度と全体輝度とのこの比率は、（ｉ）図３Ａ及び３Ｂに示すように、選択されたエリアＡ１又はＡ２におけるこの色を持つ副画素ＳＰの全体エリアに対して問題となっている副画素ＳＰのエリア寄与度により、及び、（ｉｉ）図３Ｂに示されるように、入力画像ＩＳにおける輝度パターンＩＰＲにより、規定される。従って、乗算係数決定器ＭＣＤは、全体輝度ＹＲＴ，ＹＧＴ，ＹＢＴ，ＹＷＴ、輝度パターンＩＰＲ及び副画素パターンＳＰＰを受信する。エリアの比率は、領域Ａ１及びＡ２のエリア、当該領域Ａ１及びＡ２の部分、当該領域Ａ１及びＡ２における副画素ＳＰにより規定される。
【００６５】
図７Ａ〜７Ｃは、ＲＧＢＷディスプレイの緑の副画素に対する出力値の分布の一例を概略的に示している。
【００６６】
図７Ａは、選択された副画素領域ＳＰＲを示しており、副画素ＳＰの色が頭文字で示され、数字が同一色を持つ副画素ＳＰを識別する。示された例において、Ｇ１〜Ｇ４が緑の副画素を示しており、Ｒ１及びＲ２が赤の副画素、Ｂ１及びＢ２が青の副画素、Ｗ１が中央の白の副画素を示している。
【００６７】
図７Ｂは、選択された副画素領域ＳＰＲに対応する入力画素領域ＩＰＲを示している。入力画素の部分的な輝度ＹＬは、副画素領域ＳＰＲにおける副画素の色にリンクされて示されている。緑の副画素Ｇ１〜Ｇ４に対応する入力画素ＩＰの部分的な輝度ＹＬは、ＹＧ１〜ＹＧ４であり、赤の副画素Ｒ１及びＲ２に対応する入力画素の輝度は、ＹＲ１及びＹＲ２であり、青の副画素Ｂ１及びＢ２に対応する入力画素の輝度は、ＹＢ１及びＹＢ２であり、最後に、白の副画素Ｗ１に対応する入力画素の輝度は、ＹＷ１である。
【００６８】
図７Ｃは、中央の画素Ｗ１の周りの領域における緑の副画素Ｇ１〜Ｇ４に関するマルチプライマリ変換ＭＰＣの出力値がこれらの緑の副画素Ｇ１〜Ｇ４に渡ってどのように分布されたか、又はどのように割り当てられたかを示すグレーレベルを示している。図７Ｂ及び７Ｃから参照され得るように、入力画素領域ＩＰＲにおける緑の副画素に関する全体輝度ＹＴは、輝度ＧＤＳ１〜ＧＤＳ４という結果を生じさせるように、緑の副画素Ｇ１〜Ｇ４に関連付けられた個々の入力画素に渡る輝度分布ＹＧ１〜ＹＧ４に応じて、緑の副画素Ｇ１〜Ｇ４に渡って分布される。
【００６９】
換言すれば、緑Ｇの駆動値の分布は、最初に、緑の副画素Ｇ１〜Ｇ４の位置が副画素領域ＳＰＲの範囲内において決定される。次に、対応する所望の輝度ＹＧ１〜ＴＧ４が検索される。そして、Ｇの副画素に関する駆動値ＧＤＳは、これらの輝度に比例的に分布される。分布の割合を計算するために、緑の副画素Ｇ１〜Ｇ４に関する全体輝度ＹＴが最初に計算されて、領域ＳＰＲにおける緑の副画素Ｇ１〜Ｇ４に関する（例えば、図３Ｃに示すように、マルチプライマリ変換ＭＰＣについて既に規定されるような）寄与係数により重み付けされる。全体輝度は、以下により規定される。
【数１２】
2010507126.tif 000014
【００７０】
ＲＧＢＷの４つのレイアウトのこの特定の実施形態に関して、全ての係数は１／４と同等であることに留意しなければならない。しかしながら、これは、例えばＲＧＢＷのペンタイルレイアウトのような他の配置に関する場合と異なる。重み付けは、更に遠くに配置された副画素に対してより近くに配置された副画素についての優先度を生成するために用いられ得る。中央の副画素にできるだけ近くの分布された色を維持することが望ましい。重み付けは、中央の副画素に伴って変化する、表示プライマリ毎のフィルタ核として再び参照され得る。
【００７１】
そして、緑の副画素Ｇ１〜Ｇ４に対する分布は、以下により計算される。
【数１３】
2010507126.tif 000015
【数１４】
2010507126.tif 000016
【数１５】
2010507126.tif 000017
【数１６】
2010507126.tif 000018
この分布によれば、全体の駆動値ＧＯＳが完全に分布される。
【数１７】
2010507126.tif 000019
【００７２】
そして、同一のプロセスが、他のプライマリ駆動値ＷＯＳ，ＲＯＳ及びＢＯＳに対して行われる。
【００７３】
前述の実施形態は、単なるガイドラインであり、分布が輝度分布ＹＬに実質的に比例すべきであることに留意しなければならない。任意の比較され得る体系を満足させる。例えば、緑の副画素の１つ（例えば、輝度ＹＧ４を伴うＧ４の副画素）だけが一部の輝度を持ち、残りが完全に暗いという極端な例において、駆動値ＧＯＳの全ては、特定の緑の副画素Ｇ４だけに伝えられる。分布のこのレベルは、副画素Ｇ４に対してクリッピングするという結果を生じさせる可能性が最も高い。これは、制約が以下の分布ファクタの範囲にある場合に回避され得る。
【数１８】
2010507126.tif 000020
【００７４】
前述した実施形態は、本発明を限定するというよりはむしろ例示であり、当業者は、特許請求の範囲から逸脱することなく多くの代替実施形態を設計可能であることに留意すべきである。
【００７５】
本発明は、ＲＧＢＷに関する多くの実施形態について明らかにされているが、類似のアプローチが、他のマルチプライマリディスプレイに対して有効である。更に、示された副画素パターンは単なる例であり、本発明は、１以上の輝点を生成し得る任意の副画素パターンに適用可能である。
【００７６】
本発明は、ハードウェアブロックの機能を説明することにより明らかにされているが、専用のハードウェアに代えて、適切にプログラムされたコンピュータが機能を実行するために用いられてもよい。プログラムコードは、コンピュータプログラムプロダクト上で利用可能であってもよく、又は、ソフトウェアアプリケーションにおけるプラグインとして実行されてもよい。
【００７７】
特許請求の範囲において、括弧内に配置された如何なる参照符号も、特許請求の範囲を限定するものとして構成されるべきではない。"有する"という用語の使用及びその結合は、特許請求の範囲に記載されたもの以外の要素又はステップの存在を除外しない。要素の単数表記は、斯様な要素の複数の存在を除外しない。本発明は、いくつかの別個の要素を有するハードウェアにより、及び、適切にプログラムされたコンピュータにより実行されてもよい。いくつかの手段を列挙するデバイスの請求項において、いくつかのこれらの手段は、ハードウェアの１つ及び同一アイテムにより実施されてもよい。特定の寸法が相互に異なる従属項に記載されるという単なる事実は、これらの寸法の組み合わせが利点のために用いられ得ないことを示すものではない。
【図１】
2010507126.tif 000021
【図２Ａ】
2010507126.tif 000022
【図２Ｂ】
2010507126.tif 000023
【図３Ａ】
2010507126.tif 000024
【図３Ｂ】
2010507126.tif 000025
【図３Ｃ】
2010507126.tif 000026
【図３Ｄ】
2010507126.tif 000027
【図４】
2010507126.tif 000028
【図５】
2010507126.tif 000029
【図６】
2010507126.tif 000030
【図７Ａ】
2010507126.tif 000031
【図７Ｂ】
2010507126.tif 000032
【図７Ｃ】
2010507126.tif 000033
【国際調査報告】
2010507126.tif 000034
2010507126.tif 000035
2010507126.tif 000036
2010507126.tif 000037